(57)【要約】【課題】主索の引っ掛かりや脱輪を防止するエレベータ用吊り車の主索外れ止め装置の提供。【解決手段】吊り車の回転周面の一部に対して当該回転周面の幅方向に延在する押え部と、当該押え部の前記幅方向の一方端側から延在して当該押え部を前記吊り車の回転周面に対して主索が通る主索通過間隙を保つように弾性的に支持する支持部とを有する。【選択図】        図２
2004189441.tif 000002
【特許請求の範囲】
【請求項１】
吊り車の回転周面の一部に対して当該回転周面の幅方向に延在する押え部と、当該押え部の前記幅方向の一方端側から延在して当該押え部を前記吊り車の回転周面に対して主索が通る主索通過間隙を保つように弾性的に支持する支持部とを備え、前記主索の主索通過間隙を越える大径部分が通過する際には、前記押さえ部が弾性的に変位して前記大径部分の通過を許容するようにしたことを特徴とするエレベータ用吊り車の主索外れ止め装置。
【請求項２】
押え部には、主索の延在方向の一方側又は双方側に主索通過間隙を拡大するように形成された折り曲げガイド部が設けられたことを特徴とする請求項１に記載のエレベータ用吊り車の主索外れ止め装置。
【請求項３】
押え部は、支持部に固定された軸と、前記軸に回転自在に設けられ、主索通過間隙を通る主索に外周面が接して回転する筒状部材とを備えたことを特徴とする請求項１に記載のエレベータ用吊り車の主索外れ止め装置。
【請求項４】
主索通過間隙を通る主索の両側をガイドするように、筒状部材の両端側には当該筒状部材の径より大きな径のストッパが配設されたことを特徴とする請求項３に記載のエレベータ用吊り車の主索外れ止め装置。
【発明の詳細な説明】
【０００１】
【発明の属する技術分野】
本発明は、エレベータの主索交換作業の際に用いられる吊り車の主索外れ止め装置に関し、例えば、アンダースラング式エレベータにおいて、エレベータかご（以下、単にかごという）を牽引するために所要の吊り車に巻き掛けられた主索としての例えばロープの新旧交換作業の際、当該ロープが吊り車から外れないように所要の吊り車に仮設され交換作業終了後取り外されるエレベータ用吊り車の主索外れ止め装置に関する。以下、エレベータ用吊り車の主索外れ止め装置を単に主索外れ止め装置ともいう。
【０００２】
【従来の技術】
図５及び図６において従来の主索外れ止め装置を説明する。図５はかごの底面下の２つの吊り車に配設された主索外れ止め装置を示す説明図、図６は主索の延在方向から見た吊り車と主索との位置関係を示す図である。
図において、１Ａ、１Ｂは吊り車、２は主索としてのロープであり、２Ａは旧ロープ、２Ｂは新ロープである。又、図中の２ＡＢは旧ロープ２Ａの後端部と新ロープ２Ｂの先端部とを接続した新旧主索の接続部（以下、新旧主索接続部という）である。
【０００３】
３は吊り車１Ａ、１Ｂの適所に仮設された主索外れ止め装置である。図示の例ではロープ２が各吊り車１Ａ、１Ｂに対して直角方向に曲がるよう掛け回されているため、各吊り車１Ａ、１Ｂ毎に２つの主索外れ止め装置３、３が配設されている。以下、吊り車１Ａ、１Ｂの配置位置を問わずに単に吊り車１ともいう。
従来の主索外れ止め装置３は、帯状の板部材をコ字形に折り成し、そのコ字形中央の平面部３１が吊り車１（１Ａ、１Ｂ）の回転周面を幅方向に跨ぎ、その両端側の支持部３２、３２が吊り車１Ａの両側面に沿って各々吊り車の回転軸方向へ延在され、その両端が適所、この例では、上記２つの吊り車１Ａ、１Ｂが軸着されているかご側フレーム５５に固定されている。
【０００４】
この主索外れ止め装置３のコ字形中央の平面部３１は、吊り車１の回転周面に対して、ロープ２が通る間隔（以下、これを主索通過間隙という）を空けて位置するように、その両支持部３２、３２がかご側フレーム５５に固定されているため、主索通過間隙は、そこを通過する主索としてのロープ２の径に対して、その間隙が大きすぎるとロープ２が回転周面から外れ易くなり、小さすぎるとロープ２が通過し難くなる。
【０００５】
ところで、先に述べたように、エレベータ用吊り車１の主索２Ａ、特に、エレベータのかご（図示せず）を昇降させるため、例えば図示されていない巻上機を介して吊合錘との間に掛け回されている主索としてのロープ２Ａは、定期的に、使用してきた古い主索２Ａ（以下、これらを旧主索という）を新しい主索２Ｂ（以下、新主索という）と交換する必要がある。
この場合、新旧の主索２Ａ、２Ｂは、旧主索（ロープ）２Ａの後端部に新主索（ロープ）２Ｂの先端部が接続（新旧主索接続部２ＡＢ）され、旧主索２Ａをその他端側から引き抜くことによって、新主索２Ｂを旧主索２Ａの掛け回し位置に引き込んでいく、という作業で行われる。
【０００６】
この交換作業の際、新旧主索接続部２ＡＢは、例えば、新旧両主索２Ａ、２Ｂ（ロープ）の接続側端部のロープ編みを一旦解きほぐしてから、各々新旧のロープを構成する構成要素としての要素主索（図示せず）を互いに同数を削除した上で（図示せず）、恰も一本のロープのように再び編みなおして接続するのであるが、当該新旧主索接続部２ＡＢにおける柔軟性や径の太さ等を旧主索１Ａと全く同等にするのには困難が伴うため次のような問題が生じていた。
【０００７】
【発明が解決しようとする課題】
即ち、従来の主索外れ止め装置３では、コ字形の両端の支持部３２、３２が固定されて両持ち構造とされているため、中央の平面部３１の位置が変化できず、主索通過間隙が変化しない。このため、主索２の新旧主索接続部２ＡＢに弛みがあって主索自体の位置が変化したりあるいはその直径が主索通過間隙よりも大きくなったりすると、却って主索外れ止め装置３に引っ掛かかり易くなってしまうことがある。このような引っ掛かかりが生じないように主索通過間隙を大きく設定すると、主索２がその張力方向に振れて脱輪し易くなってしまう、という問題が生じて、新旧主索の交換作業の作業効率の向上を妨げていた。
本発明は、このような問題を解消し、引っ掛かりや脱輪の生じ難いエレベータ用吊り車の主索外れ止め装置の提供を目的とする。
【０００８】
【課題を解決するための手段】
（１）この発明のエレベータ用吊り車の主索外れ止め装置は、吊り車の回転周面の一部に対して当該回転周面の幅方向に延在する押え部と、当該押え部の前記幅方向の一方端側から延在して当該押え部を前記吊り車の回転周面に対して主索が通る主索通過間隙を保つように弾性的に支持する支持部とを備え、前記主索の主索通過間隙を越える大径部分が通過する際には、前記押さえ部が弾性的に変位して前記大径部分の通過を許容するようにしたことを特徴とするものである。
【０００９】
（２）また、押え部には、主索の延在方向の一方側又は双方側に主索通過間隙を拡大するように形成された折り曲げガイド部が設けられたものでもよい。
【００１０】
（３）押え部は、支持部に固定された軸と、前記軸に回転自在に設けられ、主索通過間隙を通る主索に外周面が接して回転する筒状部材とを備えたものでもよい。
【００１１】
（４）主索通過間隙を通る主索の両側をガイドするように、筒状部材の両端側には当該筒状部材の径より大きな径のストッパが配設されたものでもよい。
【００１２】
【発明の実施の形態】
実施の形態１.
以下、本発明を実施の形態１を示す図１及び図２に基づいて説明する。図１はかごの底面下の２つの吊り車に配設された主索外れ止め装置を示す説明図、図２は主索の延在方向から見た吊り車と主索との位置関係を示す図である。尚、以下の実施の形態を示す図において、従来技術で説明した符号と共通の符号は実質的に同じ内容である。
【００１３】
図１及び図２において、５０は主索外れ止め装置である。この実施の形態１に示す主索外れ止め装置５０は、吊り車１（１Ａ、１Ｂ）の回転周面の一部に対して当該回転周面の幅方向に跨るように延在する押え部５１と、この押え部５１の幅方向の一方端側から吊り車１の一方の側面に沿って当該吊り車１の軸方向に延在する支持部５２とから成る片持ち支持構造とされている。
支持部５２は、押え部５１が吊り車１の回転周面に対して主索２が通るよう所要の主索通過間隙を保つように、この例では、その支持部５２の基端（延在方向の先端）が、２つの吊り車１Ａ、１Ｂが配設されているかご側フレーム５５に着脱自在に固定されている。
【００１４】
又、この例では、吊り車１の回転周面に対する主索通過間隙を形成するように、押え部５１と支持部５２とが、帯状の板部材の一箇所を折り曲げて略Ｌ字状となるように形成されている。
【００１５】
この押え部５１による主索通過間隙は、通過していく主索２を常時軽く押圧するようにしてもよいが、少なくとも、通過する主索２のうち主索通過間隙を越える大径部分例えば新旧主索接続部２ＡＢが通過する際には、押え部５１が支持部の弾性により変位することができて、押付け力を吊り車１の回転周面に対して作用させながら、その通過を許容するように設定しておく。
【００１６】
このように、押え部５１を弾性的に支持することによって、当該押え部５１と吊り車１の回転周面との間の主索通過間隙を通る主索２が吊り車１の回転周面に押し付けられるので、主索２に多少の弛みが生じても吊り車１からの脱輪を阻止することができると同時に、主索接続部２ＡＢ等の大径部分が主索外れ止め装置に引っ掛かってしまうことを防止できる。特に、新旧主索接続部２ＡＢが通過の際には、当該の新旧主索接続部２ＡＢの径が大きい程、押え部５１の押付け力が大きくなるため、脱輪を更に効果的に阻止することができる。
【００１７】
又、この例に示す押え部５１は、通過する主索２を主索通過間隙に引き込むための折り曲げガイド部５３、５３を備えている。折り曲げガイド部５３、５３は押え部５１の縁部が主索通過間隙を拡大するように形成されている。
この折り曲げガイド部５３によって、通過する主索２において、当該主索２の通常の径よりも新旧主索接続部２ＡＢが多少大径であったとしても、折り曲げガイド部５３によって、或いは、当該折り曲げ部５３と押え部５１の上記押付け力による弾性とによって、引っ掛かることなく主索通過間隙に飲み込まれていくので、主索の交換作業を円滑に行うことができる。
【００１８】
尚、この例では、折り曲げガイド部５３、５３が、押え部５１の主索２の延在方向の双方側に向けて配設されているが、これに限らず、主索２Ａの引き抜き作業において、主索２が主索通過間隙に進入してくる側のみの一方側だけに設けてもよい。
しかし、双方側に設けることによって、旧主索２Ａの引き抜き方向の如何にかかわらず主索外れ止め装置３を配設することができるので、当該装置３の仮設作業を効率よく行うことができるという利点がある。
【００１９】
実施の形態２．
実施の形態２は、上記実施の形態１における主索外れ止め装置５０の板状の押え部５１に代えて、主索外れ止め装置６０の押え部６１を、支持部６２に固定された軸６３と、当該軸６３に回転自在に軸受けされた筒状部材６４とで構成したものである。
以下、これを図３及び図４に基づいて説明する。図３はかごの底面下の２つの吊り車に配設された主索外れ止め装置を示す説明図、図４は主索の延在方向から見た吊り車と主索との位置関係を示す図である。
尚、この形態２における支持部６２は、上記実施の形態１の支持部５２と同じである。
【００２０】
図示の押え部６１は、吊り車１の回転周面の幅方向に延在するよう一方の軸端が支持部６２に固定された軸６３に、主索通過間隙を通る主索２に外周面が接して回転する筒状部材としてのカラー６４を回転自在に嵌挿して、軸受けさせた構成としたものである。
カラー６４の長さは吊り車１の回転周面の幅と相応させており、この形態２でいう主索通過間隙は、カラー６４の外周面と吊り車１の回転周面との間隙となる。
【００２１】
この実施の形態２によれば、押え部６１をこのように軸６３とカラー６４とで回転自在な構成としてあるので、当該押え部６１自体の弾性力は期待できないが、当該軸６３を軸受けする支持部材６２を上記実施の形態１と同様の弾性を持つ板状部材で形成した片持ち支持構造として、押え部６１（５２）の自由端側を揺動自在にしているので、所要の押付け力を得ることができる。
又、押え部６１を、上記のように軸６３と筒状部材６４とから成る自在回転構造とすることによって、主索通過間隙における主索の通過を、上記実施の形態１に比べてより効率よく、円滑に行わせることができる。
【００２２】
尚、カラー６４の両端側には、当該カラー６４と吊り車１の回転周面とに挟まれて当該主索通過間隙を通る主索２が横ずれして主索通過間隙から外れないように、当該カラー６４の径より大径のワッシャ６５、６５をストッパとして軸６３に介装してある。このストッパ（ワッシャ）６５、６５によって、主索通過間隙を通る主索２の両側が規制されて、脱輪が防止される。図中の６６、６６はストッパとしてのワッシャ６５、６５をカラー６４の両端側に位置させるために軸６３の両端側に嵌めた筒状スペーサである。
【００２３】
【発明の効果】
この発明によれば、何れも、例えば、アンダースラング式エレベータの主索交換作業において、予め、主索が巻き掛けられているかご側の底面下や吊合錘側に配設されている所要の吊り車に、適宜、主索外れ止め装置を仮設しておくことによって、主索特に主索の新旧主索接続部が通過する際に各所の吊り車に発生していた主索の引っ掛かりや脱輪を防止することができるので、従来のように、脱輪や引っ掛かりが発生する度に、当該箇所に作業従事者が出向いて掛け直しをするという煩雑な手間を省くことができるので、従来に増して、主索交換作業を効率よく円滑に行うことができる。
【図面の簡単な説明】
【図１】実施の形態１の、かごの底面下の２つの吊り車に配設された主索外れ止め装置を示す説明図である。
【図２】実施の形態１の、主索の延在方向から見た吊り車と主索との位置関係を示す図である。
【図３】実施の形態２の、かごの底面下の２つの吊り車に配設された主索外れ止め装置を示す説明図である。
【図４】実施の形態２の、主索の延在方向から見た吊り車と主索との位置関係を示す図である。
【図５】従来の、かごの底面下の２つの吊り車に配設された主索外れ止め装置を示す説明図である。
【図６】従来の、主索の延在方向から見た吊り車と主索との位置関係を示す図である。
【符号の説明】
１、１Ａ、１Ｂ  吊り車、２  主索、２Ａ  旧主索、２Ｂ  新主索、２ＡＢ  新旧主索接続部、５０  エレベータ用吊り車の主索外れ止め装置（主索外れ止め装置）、５１  押え部、５２  支持部、６０  エレベータ用吊り車の主索外れ止め装置（主索外れ止め装置）、６１  押え部、６２  支持部、６３  軸、６４  カラー（筒状部材）、６５  ストッパ（ワッシャ）。
【図１】
2004189441.tif 000003
【図２】
2004189441.tif 000004
【図３】
2004189441.tif 000005
【図４】
2004189441.tif 000006
【図５】
2004189441.tif 000007
【図６】
2004189441.tif 000008